(57)【要約】【課題】  施肥移植機用の簡単でローコストな肥料補給ポンプを提供することを課題としている。【解決手段】  施肥移植機の走行機体３側の肥料タンク２１に流動体状肥料が充填された肥料容器２４から流動体状肥料を補給する肥料補給ポンプ２６を、走行機体３側のバッテリによって作動する直流モータ３８により駆動されるポンプとして、走行機体３の外側部に取り付けて設けた。また肥料容器２４内の流動体状肥料が所定量以下又は未満となった場合、及び肥料タンク２１内の流動体状肥料が所定量以上又は所定量を越えると肥料補給ポンプ２６の駆動を停止する駆動規制手段を設けた。また肥料補給ポンプ２６から三方弁３２を介して肥料タンク２１への流動体状肥料の補給用のホース３３を取り付けた。【選択図】図１
2006115746.tif 000002
【特許請求の範囲】
【請求項１】
走行機体（３）側に、流動体状肥料を収容する肥料タンク（２１）が備えられた施肥移植機において、流動体状肥料が充填された肥料容器（２４）から肥料タンク（２１）に流動体状肥料を補給する肥料補給ポンプ（２６）を走行機体（３）の外側部に取り付けて設け、該肥料補給ポンプ（２６）が、走行機体（３）側のバッテリによって作動する直流モータ（３８）により駆動されるポンプである施肥移植機における肥料補給ポンプ。
【請求項２】
肥料補給ポンプ（２６）による肥料容器（２４）から肥料タンク（２１）への流動体状肥料の補給中、肥料容器（２４）内の流動体状肥料が所定量以下又は未満となった場合、及び肥料タンク（２１）内の流動体状肥料が所定量以上又は所定量を越えると肥料補給ポンプ（２６）の駆動を停止する駆動規制手段を設けた請求項１の施肥移植機における肥料補給ポンプ。
【請求項３】
肥料補給ポンプ（２６）の排出ポート側に三方弁（３２）を取り付け、該三方弁（３２）の１つのポートに肥料タンク（２１）への流動体状肥料の補給用のホース（３３）を取り付けた請求項１又は２の施肥移植機における肥料補給ポンプ。
【発明の詳細な説明】
【技術分野】
【０００１】
本発明は、施肥装置を備えた乗用田植機等の施肥移植機における肥料補給ポンプに関する。
【背景技術】
【０００２】
従来走行機体側に、圃場内への施肥用の流動体状肥料を収容する肥料タンクが備えられ、流動体状肥料が充填された肥料容器から肥料タンクに流動体状肥料を補給する肥料補給ポンプが洗車用のポンプと共用されて設けられている移植機が公知となっている（例えば特許文献１参照）。
【特許文献１】実公平４−３４６５８号公報
【発明の開示】
【発明が解決しようとする課題】
【０００３】
上記肥料補給ポンプは、エンジンの回転によって駆動されるタイプであり、ポンプの駆動機構が複雑となり、ポンプのオン・オフが容易ではないという欠点があった。また必ずエンジンを駆動させる必要があるという欠点もあった。
【課題を解決するための手段】
【０００４】
上記課題を解決するための本発明の施肥移植機における肥料補給ポンプは、走行機体３側に、流動体状肥料を収容する肥料タンク２１が備えられた施肥移植機において、流動体状肥料が充填された肥料容器２４から肥料タンク２１に流動体状肥料を補給する肥料補給ポンプ２６を走行機体３の外側部に取り付けて設け、該肥料補給ポンプ２６が、走行機体３側のバッテリによって作動する直流モータ３８により駆動されるポンプであることを第１の特徴としている。
【０００５】
第２に肥料補給ポンプ２６による肥料容器２４から肥料タンク２１への流動体状肥料の補給中、肥料容器２４内の流動体状肥料が所定量以下又は未満となった場合、及び肥料タンク２１内の流動体状肥料が所定量以上又は所定量を越えると肥料補給ポンプ２６の駆動を停止する駆動規制手段を設けたことを特徴としている。
【０００６】
第３に肥料補給ポンプ２６の排出ポート側に三方弁３２を取り付け、該三方弁３２の１つのポートに肥料タンク２１への流動体状肥料の補給用のホース３３を取り付けたことを特徴としている。
【発明の効果】
【０００７】
以上のように構成される本発明の構造によると、走行機体側に設けられた肥料補給ポンプの駆動によって、肥料タンクにペースト肥料等の流動体状肥料を容易に補給することができるという効果がある。このとき肥料補給ポンプが、走行機体側のバッテリによって作動する直流モータにより駆動されるため、電気的にオン・オフを容易に切り換えることができ、肥料補給ポンプ回りの構造を簡単にすることができる。
【０００８】
また駆動規制手段を設けることによって、流動体状肥料を補給のために、いったん肥料補給ポンプを駆動した後は、肥料容器内の流動体状肥料が所定量以下又は未満となった場合、及び肥料タンク内の流動体状肥料が所定量以上又は所定量を越えると肥料補給ポンプの駆動を停止するため、他の作業、例えば予備苗載せ台や苗載せ台へのマット苗の補給を行なうことができ、作業効率が向上する。
【０００９】
肥料補給ポンプの排出ポート側に三方弁を取り付け、該三方弁の１つのポートに肥料タンクへの流動体状肥料の補給用のホースを取り付けることによって、三方弁によって肥料補給ポンプの排出ポートと流動体状肥料の補給用のホースとを繋ぐことにより、上記のように肥料タンクに流動体状肥料を補給することができる。
【００１０】
加えて三方弁の残りのポートにホースを接続し、且つ肥料容器から流動体状肥料を吸入する吸込みホースを他の水タンク等に挿入し、上記ホースと吸込みホース側とを繋ぐように三方弁を切り換え、肥料補給ポンプを駆動することによって、ホースから水等を排出させることができる。
【００１１】
また肥料タンクへの流動体状肥料の補給用のホースと吸込みホース側とを繋ぐように三方弁を切り換え、肥料補給ポンプを駆動することによって、肥料タンクに水等を入れることができ、この水により施肥系の洗浄を簡単に行うことができる。これらのように肥料補給ポンプを洗車や施肥系洗浄等を行なうことができる多目的なポンプとして使用することができるという効果がある。
【発明を実施するための最良の形態】
【００１２】
図１，図２は、本発明を採用した施肥装置を備えた乗用田植機の側面図及び平面図である。該乗用田植機は、従来同様前輪１及び後輪２を備えた走行機体３の後方に昇降リンク機構４を介して植付作業機６が昇降自在に支持されている。植付作業機６には、植付用の苗が搭載される苗載せ台７と、回転駆動によって苗を植え付ける植付部８等が備えられている。走行機体３を圃場内で走行させながら植付作業機６を作動させることにより、走行機体６の走行に伴って植付部８が苗載せ台７から苗を掻き取り、圃場に植え付ける。
【００１３】
走行機体３は、前方にボンネット９が設けられている。ボンネット９の左右側方にはフロントステップ１１が設けられている。ボンネット９の後方には、座席１２を備えた運転席１３が設けられている。運転席１３の床面がステップ１４によって形成されている。座席１２の下方をカバーする機体カバー１６には、上記ステップ１４より一段高く平坦な苗供給用ステップ１７が座席１２の左右両側に位置して形成されている。
【００１４】
ボンネット９の左右側方の機体外側部（フロントステップ１１の外側位置）には、苗載せ台７に補給する予備苗を予め載置するための予備苗載せ台１８が取り付けられている。予備苗載せ台１８は、走行機体１側から立設され、走行機体１の外側部に位置するステー１９に取り付けられている。オペレータは苗供給用ステップ１７に立って予備苗を予備苗載せ台１８から苗載せ台７に補給することができる。
【００１５】
フロントステップ１１の下方には、施肥用のペースト肥料を収容する肥料タンク２１が備えられている。肥料タンク２１内のペースト肥料は、必要な場合、植え付け作業に伴い植付作業機６側に設けられた施肥ノズルによって圃場に施肥される。肥料タンク２１と施肥ノズルとの間にインジケータ２２が設けられ、肥料タンク２１、施肥ノズル、インジケータ２２等によって施肥装置が構成されている。
【００１６】
ボンネット９の前方側上面は肥料タンク２１への肥料の供給を行なうための開閉自在な供給口２３となっている。該供給口２３を介して肥料タンク２１に流動体状のペースト肥料を補給することができる。ペースト肥料の肥料タンク２１への補給は、補給用の肥料が収容された供給用タンク２４又は供給袋等から行なわれる。
【００１７】
予備苗載せ台１８のステー１９には、供給用タンク２４又は供給袋から肥料タンク２１へのペースト肥料の補給を行なうための肥料補給ポンプ２６が取り付けられている。該肥料補給ポンプ２６は、供給側において供給物がなくなると作動が自動停止する吸入停止スイッチ（バキュームスイッチ）が取り付けられたビルジポンプが使用されている。
【００１８】
上記ビルジポンプは船舶の船底に溜まるビルジ水を排出するためのポンプであり、ＤＣ１２Ｖによって作動するＤＣモータによって駆動される直流駆動電気ポンプとなっている。本実施形態においては、後述するように走行機体１のバッテリによって駆動される。
【００１９】
肥料補給ポンプ２６の入力ポートには、先端にカプラ部２７が取り付けられた吸入ホース２８が接続されている。吸入ホース２８のカプラ部２７には、供給用タンク２４又は供給袋に挿入接続された吸込みホース２９の接続が可能となっている。肥料補給ポンプ２６の出力ポートには排出ホース３１が接続されている。排出ホース３１の先端には三方弁３２の所定の１ポートが接続されている。
【００２０】
三方弁３２はフロントステップ１１の上に切換操作可能に取り付けられている。三方弁３２の他の１ポートには肥料の補給ホース３３が接続されている。補給ホース３３はボンネット９の供給口２３への挿入が可能となっている。供給口２３への挿入を行なわないことも可能である。三方弁３２の他の１ポートは通常空きとなっている。
【００２１】
図３に示されるように、少なくとも一方の肥料タンク２１内には、ペースト肥料上に浮くフロート３４が設けられている。フロート３４は肥料タンク２１側に上下揺動自在に支持されたアーム３６の先端に支持されている。アーム３６には、ペースト肥料が満タン（ペースト肥料の収容量が所定量以上）になるとスイッチが入り作動する残量検出センサ３７が連結されている。なお残量検出センサ３７は、運転席１３側に設けられ、肥料の残量を示す肥料ゲージのセンサとして本来備えられているものである。
【００２２】
図４に示されるように肥料補給ポンプ２６のＤＣモータ３８は、バッテリの＋及び−端子に接続されるコネクタ３９を介して配線されている。ＤＣモータ３８側のコネクタの一方の端子３９ａには、電源スイッチ４１が接続されている。電源スイッチ４１とリレー４２の常時入りの一方の端子４２ａとの間に、プッシュスイッチ４３とバキュームスイッチ４４とがパラレルに接続されている。
【００２３】
リレー４２の常時入りの他方の端子４２ｂとＤＣモータ３８側のコネクタの他方の端子３９ｂとの間にＤＣモータ３８が接続されている。コネクタの端子３９ｂには、残量検出センサ３７のスイッチ３７ａの一方の端子が接続されている。リレー４２のコイル４２ｃは電源スイッチ４１と残量検出センサ３７のスイッチ３７ａの他方の端子との間に接続されている。プッシュスイッチ４３は、肥料補給ポンプ２６の下方に取り付けられている。
【００２４】
上記構成により吸入ホース２８のカプラ部２７に、供給用タンク２４又は供給袋に接続された吸込みホース２９を接続し、補給ホース３３をボンネット９の供給口２３に挿入し、三方弁３２を排出ホース３１と補給ホース３３とを繋ぐように切り換え、電源スイッチ４１をＯＮ（入り）とした後、プッシュスイッチ４３をＯＮ（入り）とすることによって、肥料補給ポンプ２６が駆動され、肥料タンク２１にペースト肥料が補給される。
【００２５】
プッシュスイッチ４３は、押している間のみＯＮ状態となるスイッチである。ただしプッシュスイッチ４３をいったん押す（ＯＮする）と、ＤＣモータ３８が回転し、肥料補給ポンプ２６がペースト肥料の吸い込みを開始し、吸い込まれたペースト肥料の液圧によって、バキュームスイッチ４４がＯＮとなることによって、肥料補給ポンプ２６の駆動が継続される。
【００２６】
これによりプッシュスイッチ４３を一回押すだけで、ペースト肥料の補給作業を容易に行うことができる。なおプッシュスイッチ４３を運転席１３内に設けたり、運転席１３内と肥料補給ポンプ２６の下方の２箇所に設けてもよい。運転席１３内にプッシュスイッチ４３を設けることによって、肥料補給ポンプ２６の駆動開始を運転席１３から簡単に行うことができる。
【００２７】
一方上記構成により、肥料タンク２１内にペースト肥料が満タンとなると残量検出センサ３７のスイッチ３７ａがＯＮ（入り）となり、リレー４２が作動し、リレー４２の端子４２ａと端子４２ｂとの接続が解除され、ＤＣモータ３８が停止し、肥料補給ポンプ２６は停止する。
【００２８】
供給用タンク２４又は供給袋が空（ペースト肥料の残量が所定量以下）になると、ペースト肥料の液圧が低下し、バキュームスイッチ４４がＯＦＦとなることによって、ＤＣモータ３８が停止し、肥料補給ポンプ２６が停止する。
【００２９】
これによりペースト肥料の供給のためにいったんプッシュスイッチ４３を押した後は、供給用タンク２４又は供給袋が空、あるいは肥料タンク２１内にペースト肥料が満タンとなると肥料補給ポンプ２６が自動停止するため、予備苗載せ台１８や苗載せ台７への予備苗の補給等、他の作業を行うことができ、作業効率が向上する。
【００３０】
また肥料補給ポンプ２６は、上記のようにバキュームスイッチ４４が備えられた１２Ｖバッテリーで動作する既存の電動ポンプ（ビルジポンプ）を用いるため、肥料補給ポンプ２６自体のコストを抑えることができる他、エンジン動力を用いるポンプを使用する場合に比較して簡単な構成でペースト肥料の補給機の性能を追加することができる。
【００３１】
そして肥料補給ポンプ２６のオン・オフを電気的に行うことができるため、上記のような回路等で配線することによって、供給用タンク２４又は供給袋が空、あるいは肥料タンク２１内にペースト肥料が満タンとなると肥料補給ポンプ２６を自動停止させる駆動規制手段を簡単に設けることができる。しかも駆動規制手段をビルジポンプ側に備えられているバキュームスイッチ４４と残量検出センサ３７等の既存のデバイスを使用して構成することができる。
【００３２】
一方吸込みホース２９を水や洗浄水のタンク等に挿入することによって、空になった肥料タンク２１内に水や洗浄水等を入れることができる。肥料タンク２１に水や洗浄水を入れ、施肥作動させることによって、施肥系（肥料タンク２１や施肥ノズル、インジケータ２２、各ホース等）の洗浄を行うことができる。また肥料補給ポンプ２６自体やペースト肥料の補給系の洗浄も可能である。
【００３３】
さらに三方弁３２の空きポートに洗車用ホースを接続し、三方弁３２を排出ホース３１と洗車用ホースとを繋ぐように切り換え、肥料補給ポンプ２６を駆動することによって、洗車用ホースから水や洗浄水等を出すことができ、これにより容易に洗車等を行うことができる。これらのように肥料補給ポンプ２６は洗車や施肥系洗浄等を行うことができる多目的なポンプとして機能し、洗車用のポンプ等を別途設ける必要がない。
【図面の簡単な説明】
【００３４】
【図１】乗用田植機の側面図である。
【図２】乗用田植機の平面図である。
【図３】肥料補給ポンプの概略配線図である。
【図４】肥料タンク内の構造を示す肥料タンク単体の側面図である。
【符号の説明】
【００３５】
３    走行機体
２１  肥料タンク
２４  供給用タンク（肥料容器）
２６  肥料補給ポンプ
３２  三方弁
３３  補給ホース（ホース）
３８  ＤＣモータ（直流モータ）
【図１】
2006115746.tif 000003
【図２】
2006115746.tif 000004
【図３】
2006115746.tif 000005
【図４】
2006115746.tif 000006